【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
特定の資産に関する無期限オプションの取引で使用するデータ処理装置であって、前記データ処理装置は、
（Ａ）特定の資産、期限付きオプションプレミアムアルゴリズムのオプションタイプ、前記特定の資産の行使価格、前記特定の資産の現行価格、リスク無し利率、前記特定の資産の過去の価格揮発性及び前記特定の資産の証拠金率を表すデータを受信する受信手段と、
（Ｂ）前記受信手段で受信したデータ及び前記オプションタイプを記憶する記憶手段と、
（Ｃ）前記受信手段で受信した前記データに反応して、
（ｉ）前記オプションプレミアムアルゴリズムの各変数である特定の資産に対応する資産変数、該特定の資産の現行価格に対応する現行価格変数、利率変数及び該特定の資産の過去の価格揮発性に対応するボラティリティ変数に、前記受信手段で受信した前記特定の資産、前記現行価格、リスク無し利率及び前記価格揮発性を表すデータの値をそれぞれ設定し、
（ｉｉ）前記期限付きオプションプレミアムアルゴリズムの前記行使価格変数に、前記受信手段で受信した前記現行価格を表すデータの値を設定し、
（ｉｉｉ）前記期限付きオプションプレミアムアルゴリズムのオプションプレミアムに対応するプレミアム変数に、前記受信手段で受信した前記証拠金率を表すデータ値を設定し、
（ｉｖ）前記期限付きオプションプレミアムアルゴリズムの前記資産変数、前記現行価格変数、前記利率変数、前記ボラティリティ変数、前記行使価格変数及び前記プレミアム変数を用いて、前記期限付きオプションプレミアムアルゴリズムを繰り返し解くことにより暗示時間を生成し、
（ｖ）前記行使価格変数に、前記受信手段で受信した前記行使価格を表すデータを再設定し、
（ｖｉ）前記資産変数、前記現行価格変数、前記利率変数、前記ボラティリティ変数、前記暗示時間及び再設定した前記行使価格変数を用いて、前記期限付きオプションプレミアムアルゴリズムのオプションプレミアムを前記特定の資産の無期限オプションのオプションプレミアムを表すデータとして生成する生成手段と、
（Ｄ）前記生成手段で生成された前記無期限オプションのオプションプレミアムを表すデータを出力する出力手段
とを含むことを特徴とするデータ処理装置。
【請求項２】
前記受信手段で受信した前記データの少なくとも一部を入力する手段をさらに含むことを特徴とする請求項１に記載のデータ処理装置。
【請求項３】
前記入力手段は、キーボード及びマウスで構成されるグループの中から選択されることを特徴とする請求項２に記載のデータ処理装置。
【請求項４】
前記データの少なくとも一部を前記受信手段へ送出する１つ以上のデータソースをさらに含むことを特徴とする請求項１に記載のデータ処理装置。
【請求項５】
前記出力手段は、ビデオディスプレイ及びプリンタで構成されるグループの中から選択されることを特徴とする請求項１に記載のデータ処理装置。
【請求項６】
（Ａ）特定の資産を表すデータを第１の信号として受信手段が受信するステップと、
（Ｂ）前記特定の資産を表すデータを記憶手段が記憶するステップと、
（Ｃ）期限付きオプションプレミアムアルゴリズムのオプションタイプを表すデータを第２の信号として前記受信手段が受信するステップと、
（Ｄ）前記オプションタイプを表すデータを前記記憶手段が記憶するステップと、
（Ｅ）前記特定の資産の行使価格を表すデータを第３の信号として前記受信手段が受信するステップと、
（Ｆ）前記行使価格を表すデータを前記記憶手段が記憶するステップと、
（Ｇ）前記特定の資産の現行価格、現行のリスク無し利率、前記特定の資産の過去の価格揮発性、及び前記特定の資産の証拠金率を表すデータを第４の信号として前記受信手段が受信するステップと、
（Ｈ）前記現行価格、前記現行のリスク無し利率、前記過去の価格揮発性及び前記証拠金率を表すデータを前記記憶手段が記憶するステップと、
（Ｉ）前記受信手段において受信した前記第１、第２、第３及び第４の信号に反応して、
（ｉ）前記期限付きオプションプレミアムアルゴリズムの特定資産に対応する資産変数、該特定の資産の現行価格に対応する現行価格変数、現行のリスク無し利率に対応する利率変数及び該特定の資産の過去の価格揮発性に対応するボラティリティ変数に、前記第１の信号として受信した前記特定の資産を表すデータの値及び前記第４の信号として受信した前記現行価格、前記現行のリスク無し利率、前記過去の価格揮発性及び前記証拠金率を表すデータの値をそれぞれ設定し、
（ｉｉ）前記期限付きオプションプレミアムアルゴリズムの行使価格に対応する行使価格変数に、前記第４の信号として受信した前記現行価格を表すデータの値を設定し、
（ｉｉｉ）前記期限付きオプションプレミアムアルゴリズムのオプションプレミアムに対応するプレミアム変数に、前記第４の信号として受信した前記証拠金率を表すデータの値を設定し、
（ｉｖ）前記期限付きオプションプレミアムアルゴリズムの前記資産変数、前記現行価格変数、前記利率変数、前記ボラティリティ変数、前記行使価格変数、及び前記プレミアム変数を用いて、前記期限付きオプションプレミアムアルゴリズムを繰り返し解くことにより暗示時間を生成し、
（Ｊ）（ｉ）前記行使価格変数に、前記第３の信号として前記受信手段が受信した前記行使価格を表すデータを再設定し、
（ｉｉ）前記資産変数、前記現行価格変数、前記利率変数、前記ボラティリティ変数、前記暗示時間及び再設定した前記行使価格変数を用いて、前記期限付きオプションプレミアムアルゴリズムのオプションプレミアムを算出し、算出した該オプションプレミアムを前記特定の資産に関する無期限オプションのオプションプレミアムの値として設定することにより無期限オプションプレミアムを生成するステップ
とを含むことを特徴とするデータ処理プロセス。
【請求項７】
前記第２の信号が、プット又はコールから成るグループの中から選択されたオプションタイプのデータを表すことを特徴とする請求項６に記載のデータ処理プロセス。
【請求項８】
前記オプションプレミアムを表すデータを記憶手段が記憶手段が記憶媒体に記録するステップをさらに含むことを特徴とする請求項６に記載のデータ処理プロセス。
【請求項９】
前記オプションプレミアムを表すデータを出力手段が出力するステップをさらに含むことを特徴とする請求項６に記載のデータ処理プロセス。
【請求項１０】
（Ａ）特定の資産を表すデータを第１の信号として受信手段が受信するステップと、
（Ｂ）前記特定の資産を表すデータを記憶手段が記憶するステップと、
（Ｃ）期限付きオプションプレミアムアルゴリズムのオプションタイプを表すデータを第２の信号として前記受信手段が受信するステップと、
（Ｄ）前記オプションタイプを表すデータを前記記憶手段が記憶するステップと、
（Ｅ）前記特定の資産の行使価格を表すデータを第３の信号として前記受信手段が受信するステップと、
（Ｆ）前記行使価格を表すデータを前記記憶手段が記憶するステップと、
（Ｇ）前記特定の資産の現行価格、現行のリスク無し利率、前記特定の資産の過去の価格揮発性、及び前記特定の資産の証拠金率を表すデータを第４の信号として前記受信手段が受信するステップと、
（Ｈ）前記現行価格、前記現行のリスク無し利率、前記過去の価格揮発性及び前記証拠金率を表すデータを前記記憶手段が記憶するステップと、
（Ｉ）前記受信手段において受信した前記第１、第２、第３及び第４の信号に反応して、
（ｉ）前記期限付きオプションプレミアムアルゴリズムの特定資産に対応する資産変数、該特定の資産の現行価格に対応する現行価格変数、現行のリスク無し利率に対応する利率変数及び該特定の資産の過去の価格揮発性に対応するボラティリティ変数に、前記第１の信号として受信した前記特定の資産を表すデータの値及び前記第４の信号として受信した前記現行価格、前記現行のリスク無し利率、前記過去の価格揮発性及び前記証拠金率を表すデータの値をそれぞれ設定し、
（ｉｉ）前記期限付きオプションプレミアムアルゴリズムの行使価格に対応する行使価格変数に、前記第４の信号として受信した前記現行価格を表すデータの値を設定し、
（ｉｉｉ）前記期限付きオプションプレミアムアルゴリズムのオプションプレミアムに対応するプレミアム変数に、前記第４の信号として受信した前記証拠金率を表すデータの値を設定し、
（ｉｖ）前記期限付きオプションプレミアムアルゴリズムの前記資産変数、前記現行価格変数、前記利率変数、前記ボラティリティ変数、前記行使価格変数、及び前記プレミアム変数を用いて、前記期限付きオプションプレミアムアルゴリズムを繰り返し解くことにより暗示時間を生成し、
（Ｊ）（ｉ）前記行使価格変数に、前記第３の信号として前記受信手段が受信した前記行使価格を表すデータを再設定し、
（ｉｉ）前記資産変数、前記現行価格変数、前記利率変数、前記ボラティリティ変数、前記暗示時間及び再設定した前記行使価格変数を用いて、前記期限付きオプションプレミアムアルゴリズムのオプションプレミアムを算出し、算出した該オプションプレミアムを前記特定の資産に関する無期限オプションのオプションプレミアムの値として設定することにより無期限オプションプレミアムを生成するステップ
とを含む無期限オプション金融商品生成プログラムを記録したコンピュータ読み取り可能な記録媒体。